(57)【要約】      （修正有）【課題】入金処理、出金処理、または補充処理中にエラーが発生したときの貨幣の取扱を容易化することができる取引処理装置、当該取引処理装置を含む取引システム、および当該取引処理装置を使用して行われる取引処理方法を提供する。【解決手段】収納部１３を含む機内に存在する貨幣の在高を示す第１在高データと収納部１３に存在する貨幣の在高を示す第２在高データを記憶する記憶部１０１と、入金処理または出金処理にて、計数部１２の計数結果に基づいて第１および第２在高データを更新し、操作部１０３によって貨幣戻し処理が指定された場合には、第１在高データと第２在高データとが等しくなるまでは、計数部１２の計数結果に基づいて第１在高データおよび第２在高データの何れか一方のみを更新し、第１在高データと第２在高データとが等しくなった後は、計数部１２の計数結果に基づいて第１および第２在高データを更新する制御部１０２を備えている。【選択図】図３
2010072812.tif 000002
【特許請求の範囲】
【請求項１】
入金処理において貨幣を受け入れる受入部と、
出金処理において貨幣を機外から取り出せるように放出する放出部と、
前記入金処理または前記出金処理に関わる貨幣の枚数を金種別に計数する計数部と、
前記計数部によって計数された貨幣を金種別に収納する収納部と、
前記収納部を含む機内に存在する貨幣の在高を示す第１在高データおよび前記収納部に存在する貨幣の在高を示す第２在高データを記憶する記憶部と、
前記入金処理または前記出金処理中にエラーが発生したときに前記収納部以外に存在する残留貨幣を取り除いて当該残留貨幣を機内に戻す貨幣戻し処理を指定する貨幣戻し処理指定部と、
前記入金処理または前記出金処理においては、前記計数部の計数結果に基づいて前記第１および第２在高データを更新し、前記貨幣戻し処理指定部によって貨幣戻し処理が指定された場合には、前記第１在高データと前記第２在高データとが等しくなるまでは、前記計数部の計数結果に基づいて前記第１在高データおよび前記第２在高データの何れか一方のみを更新し、前記第１在高データと前記第２在高データとが等しくなった後は、前記計数部の計数結果に基づいて前記第１および第２在高データを更新する制御部と、を備えることを特徴とする取引処理装置。
【請求項２】
前記計数部は、前記受入部によって受け入れられた貨幣の枚数を金種別に計数する第１入金計数部と、前記収納部に収納される貨幣の枚数を金種別に計数する第２入金計数部と、を含み、
前記制御部は、前記貨幣戻し処理指定部によって貨幣戻し処理が指定された場合には、前記第１在高データと前記第２在高データとが等しくなるまでは、前記第２入金計数部の計数結果に基づいて前記第２在高データのみを更新し、前記第１在高データと前記第２在高データとが等しくなった後は、前記第１入金計数部の計数結果に基づいて前記第１在高データを更新し、前記第２入金計数部の計数結果に基づいて前記第２在高データを更新する請求項１に記載の取引処理装置。
【請求項３】
前記制御部は、入金処理中において、前記第１入金計数部の計数結果に基づいて前記第１在高データを更新し、前記第２入金計数部の計数結果に基づいて前記第２在高データを更新する請求項２に記載の取引処理装置。
【請求項４】
前記計数部は、前記受入部によって受け入れられた貨幣の枚数を金種別に計数する入金計数部と、前記収納部から出金された貨幣の枚数を金種別に計数する第１出金計数部と、前記放出部から放出された貨幣の枚数を金種別に計数する第２出金計数部と、をさらに含み、
前記制御部は、前記貨幣戻し処理指定部によって貨幣戻し処理が指定された場合には、前記第１在高データと前記第２在高データとが等しくなるまでは、前記入金計数部の計数結果に基づいて前記第２在高データのみを更新し、前記第１在高データと前記第２在高データとが等しくなった後は、前記入金計数部の計数結果に基づいて前記第１在高データと前記第２在高データを更新する請求項１に記載の取引処理装置。
【請求項５】
前記制御部は、出金処理中において、前記第１出金計数部の計数結果に基づいて前記第２在高データを更新し、前記第２出金計数部の計数結果に基づいて前記第１在高データを更新する請求項４に記載の取引処理装置。
【請求項６】
前記第１および第２在高データを出力する出力部をさらに備える請求項１乃至５の何れか１項に記載の取引処理装置。
【請求項７】
前記出力部は、前記第１および第２在高データをネットワーク経由で送信する通信部を含む請求項６に記載の取引処理装置。
【請求項８】
前記出力部は、前記第１および第２在高データを表示する第１表示部を含む請求項６または７に記載の取引処理装置。
【請求項９】
取引処理装置およびＰＯＳレジスタを含む取引システムであって、
前記取引処理装置は、
入金処理において貨幣を受け入れる受入部と、
出金処理において貨幣を機外から取り出せるように放出する放出部と、
前記入金処理または前記出金処理に関わる貨幣の枚数を金種別に計数する計数部と、
前記計数部によって計数された貨幣を金種別に収納する収納部と、
前記収納部を含む機内に存在する貨幣の在高を示す第１在高データおよび前記収納部に存在する貨幣の在高を示す第２在高データを記憶する記憶部と、
前記入金処理または前記出金処理中にエラーが発生したときに前記収納部以外に存在する残留貨幣を取り除いて当該残留貨幣を機内に戻す貨幣戻し処理を指定する貨幣戻し処理指定部と、
前記入金処理または前記出金処理においては、前記計数部の計数結果に基づいて前記第１および第２在高データを更新し、前記貨幣戻し処理指定部によって貨幣戻し処理が指定された場合には、前記第１在高データと前記第２在高データとが等しくなるまでは、前記計数部の計数結果に基づいて前記第１在高データおよび前記第２在高データの何れか一方のみを更新し、前記第１在高データと前記第２在高データとが等しくなった後は、前記計数部の計数結果に基づいて前記第１および第２在高データを更新する制御部と、
前記第１および第２在高データをネットワーク経由で前記ＰＯＳレジスタに送信する第１通信部と、を備え、
前記ＰＯＳレジスタは、
前記取引処理装置の第１通信部から送信された第１および第２在高データをネットワーク経由で受信する第２通信部を備えることを特徴とする取引システム。
【請求項１０】
前記ＰＯＳレジスタは、前記第２通信部によって受信された第１および第２在高データを表示する第２表示部をさらに備える請求項９に記載の取引システム。
【請求項１１】
前記ＰＯＳレジスタは、前記第２通信部によって受信された第１および第２在高データを印字する印字部をさらに備える請求項９または１０に記載の取引システム。
【請求項１２】
貨幣を金種別に収納部へ収納する入金処理および貨幣を機外から取り出せるように放出部から放出する出金処理を行う取引処理装置を使用して行われる取引処理方法であって、
入金処理または出金処理に関わる貨幣の枚数を金種別に計数する計数工程と、
前記計数工程において計数された貨幣を前記収納部に金種別に収納する収納工程と、
前記入金処理または前記出金処理中にエラーが発生したときに前記取引処理装置の前記収納部以外に存在する残留貨幣を取り除いて当該残留貨幣を機内に戻す貨幣戻し処理を指定する貨幣戻し処理指定工程と、
前記入金処理または前記出金処理においては、前記計数工程の計数結果に基づいて前記収納部を含む前記取引処理装置の機内に存在する貨幣の在高を示す第１在高データおよび前記収納部に存在する貨幣の在高を示す第２在高データを更新し、前記貨幣戻し処理指定工程において貨幣戻し処理が指定された場合には、前記第１在高データと前記第２在高データとが等しくなるまでは、前記計数工程の計数結果に基づいて前記第１在高データおよび前記第２在高データの何れか一方のみを更新し、前記第１在高データと前記第２在高データとが等しくなった後は、前記計数工程の計数結果に基づいて前記第１および第２在高データを更新する制御工程と、を含むことを特徴とする取引処理方法。
【請求項１３】
前記計数工程は、前記入金処理において、前記取引処理装置の機内に受け入れられた貨幣の枚数を金種別に計数する第１入金計数工程と、前記収納工程において収納された貨幣の枚数を金種別に計数する第２入金計数工程と、を含み、
前記制御工程は、前記貨幣戻し処理指定工程において貨幣戻し処理が指定された場合には、前記第１在高データと前記第２在高データとが等しくなるまでは、前記第２入金計数工程の計数結果に基づいて前記第２在高データのみを更新し、前記第１在高データと前記第２在高データとが等しくなった後は、前記第１入金計数工程の計数結果に基づいて前記第１在高データを更新し、前記第２入金計数工程の計数結果に基づいて前記第２在高データを更新する請求項１２に記載の取引処理方法。
【請求項１４】
前記計数工程は、前記受入工程において受け入れられた貨幣の枚数を金種別に計数する入金計数工程と、前記収納部から出金された貨幣の枚数を金種別に計数する第１出金計数工程と、前記放出部から放出された貨幣の枚数を金種別に計数する第２出金計数工程と、をさらに含み、
前記制御部は、前記貨幣戻し処理指定工程において貨幣戻し処理が指定された場合には、前記第１在高データと前記第２在高データとが等しくなるまでは、前記入金計数工程の計数結果に基づいて前記第２在高データのみを更新し、前記第１在高データと前記第２在高データとが等しくなった後は、前記入金計数工程の計数結果に基づいて前記第１在高データと前記第２在高データを更新する請求項１２に記載の取引処理方法。
【発明の詳細な説明】
【技術分野】
【０００１】
本発明は、商品等の購入の際に行われる貨幣の取引処理に使用される取引処理装置、取引処理システム、取引処理方法に関する。
【背景技術】
【０００２】
店舗などで使用される一般的な取引システムは、顧客が購入する商品の金額（以下、「売上額」という）を確定するＰＯＳ（Ｐｏｉｎｔ−Ｏｆ−Ｓａｌｅｓ）レジスタと、顧客が支払った金額（以下、「入金額」という）を確定して、売上額と入金額との差額を釣銭として出金する取引処理装置と、から構成されている。このような取引システムを構成する取引処理装置には、入金処理および出金処理において、変動する機内の貨幣の在高（以下、「機内在高」という）を管理することが求められている（たとえば、特許文献１を参照）。
【０００３】
従来、このような取引処理装置においては、機内在高の管理方法として何種類かの考え方があった。すなわち、従来の取引処理装置の入金処理では、入金口に投入された後、直ぐに識別計数されて入金額が仮確定され、その後、その貨幣が搬送されて金種別の収納部に正常に収納されたことが確認された時点で入金額が正式確定されていた。また、出金処理では、金種別の収納部から出金された時点で出金額が確定される場合と、金種別の収納部から出金された貨幣が搬送されて出金口に正常に投出されたことが確認された時点で出金額が確定される場合とがあった。したがって、従来の取引処理装置では、金種別の収納部から出金された時点で機内在高を更新するか、金種別の収納部から出金された貨幣が搬送されて出金口に正常に投出されたことが確認された時点で機内在高を更新するかによって、機内在高の管理方法が異なっていた。
【０００４】
また、入金処理と出金処理とで確定のタイミングを変える場合もある。すなわち、これらのタイミングの組合せとして、４種類の機内在高の管理方法が考えられていた。これらの管理方法は、（１）金種別の収納部に入金された時点および金種別の収納部から出金された時点で機内在高を更新する管理方法、（２）機内に受け入れられ識別計数された時点および金種別の収納部から出金され機外から取り出し可能なように出金口に正常に投出された時点で機内在高を更新する管理方法、（３）金種別の収納部に入金された時点および金種別の収納部から出金され機外から取り出し可能なように出金口に正常に投出された時点で機内在高を更新する管理方法、（４）機内に受け入れられ識別計数された時点および金種別の収納部から出金された時点で機内在高を更新する管理方法である。そして、どの管理方法を採用するかは、取引処理装置の使用環境や使用者の要望によって決められていた。また、このような管理方法を採用するためには、機内在高とは別に収納部に存在する貨幣の在高（以下、「収納部在高」という）を管理する必要があった。
【０００５】
また、従来の取引処理装置は、入金処理または出金処理中にエラーが発生したときに収納部以外（搬送路等）に残留する貨幣（以下、「エラー貨幣」という）を手作業またはエラー復旧処理によって一旦取り出した後に、エラー発生前の元の状態に戻すための貨幣戻し処理を行う必要がある。この貨幣戻し処理においては、エラー貨幣がどの状態の貨幣であるかによって処理が異なってくる。たとえば、出金処理において既に機内在高が更新された貨幣であれば、機内に戻す必要は無いし、機内在高が更新されていない貨幣であれば、機内在高を更新することなく機内に戻す必要がある。したがって、オペレータは、出金処理中にエラーが発生する以前に出金された貨幣（以下、「正常出金貨幣」という）とエラー貨幣とを区別して取り扱い、エラー貨幣のみを貨幣戻し処理で戻す必要がある。また、入金処理において既に機内在高が更新された貨幣であれば、機内在高を更新することなく機内に戻す必要があるし、機内在高が更新されていない貨幣であれば、貨幣戻し処理は行わず、再度入金処理を行う必要がある。したがって、オペレータは、入金処理中にエラーが発生する以前に入金された貨幣（以下、「正常入金貨幣」という）とエラー貨幣とを区別して取り扱い、正常入金貨幣のみを貨幣戻し処理で戻す必要がある。
【０００６】
しかしながら、従来の取引処理装置では、正常入金貨幣および正常出金貨幣とエラー貨幣とをオペレータが区別して取り扱うことは困難である。その結果、釣銭用の貨幣を補充する補充処理および取引処理時の預かり金を入金する預かり金入金処理などの入金処理、または取引処理装置の貨幣を回収する回収処理および取引処理時の釣銭出金処理などの出金処理中にエラーが発生したときに違算が発生する可能性がある。
【０００７】
また、従来の取引処理装置では、釣銭用の貨幣を補充する補充処理を行う場合もある。この補充処理中にエラーが発生したときにも、上記入金処理または出金処理中にエラーが発生したときと同様に、違算が発生する可能性がある。
【特許文献１】特開２００５−１４９０６４号公報
【発明の開示】
【発明が解決しようとする課題】
【０００８】
すなわち、従来技術では、入金処理、出金処理、または補充処理中にエラーが発生したときの貨幣の取扱が困難であり、このことが、違算の発生要因となるという問題がある。
【０００９】
本発明は、このような点を考慮してなされたものであり、入金処理、出金処理、または補充処理中にエラーが発生したときの貨幣の取扱を容易化することができる取引処理装置、当該取引処理装置を含む取引システム、および当該取引処理装置を使用して行われる取引処理方法を提供することを目的とする。
【課題を解決するための手段】
【００１０】
本発明の取引処理装置は、
入金処理において貨幣を受け入れる受入部と、
出金処理において貨幣を機外から取り出せるように放出する放出部と、
前記入金処理または前記出金処理に関わる貨幣の枚数を金種別に計数する計数部と、
前記計数部によって計数された貨幣を金種別に収納する収納部と、
前記収納部を含む機内に存在する貨幣の在高を示す第１在高データおよび前記収納部に存在する貨幣の在高を示す第２在高データを記憶する記憶部と、
前記入金処理または前記出金処理中にエラーが発生したときに前記収納部以外に存在する残留貨幣を取り除いて当該残留貨幣を機内に戻す貨幣戻し処理を指定する貨幣戻し処理指定部と、
前記入金処理または前記出金処理においては、前記計数部の計数結果に基づいて前記第１および第２在高データを更新し、前記貨幣戻し処理指定部によって貨幣戻し処理が指定された場合には、前記第１在高データと前記第２在高データとが等しくなるまでは、前記計数部の計数結果に基づいて前記第１在高データおよび前記第２在高データの何れか一方のみを更新し、前記第１在高データと前記第２在高データとが等しくなった後は、前記計数部の計数結果に基づいて前記第１および第２在高データを更新する制御部と、を備えている。
【００１１】
本発明の取引処理装置において、
前記計数部は、前記受入部によって受け入れられた貨幣の枚数を金種別に計数する第１入金計数部と、前記収納部に収納される貨幣の枚数を金種別に計数する第２入金計数部と、を含み、
前記制御部は、前記貨幣戻し処理指定部によって貨幣戻し処理が指定された場合には、前記第１在高データと前記第２在高データとが等しくなるまでは、前記第２入金計数部の計数結果に基づいて前記第２在高データのみを更新し、前記第１在高データと前記第２在高データとが等しくなった後は、前記第１入金計数部の計数結果に基づいて前記第１在高データを更新し、前記第２入金計数部の計数結果に基づいて前記第２在高データを更新することが好ましい。
【００１２】
本発明の取引処理装置において、
前記制御部は、入金処理中において、前記第１入金計数部の計数結果に基づいて前記第１在高データを更新し、前記第２入金計数部の計数結果に基づいて前記第２在高データを更新することが好ましい。
【００１３】
本発明の取引処理装置において、
前記計数部は、前記受入部によって受け入れられた貨幣の枚数を金種別に計数する入金計数部と、前記収納部から出金された貨幣の枚数を金種別に計数する第１出金計数部と、前記放出部から放出された貨幣の枚数を金種別に計数する第２出金計数部と、をさらに含み、
前記制御部は、前記貨幣戻し処理指定部によって貨幣戻し処理が指定された場合には、前記第１在高データと前記第２在高データとが等しくなるまでは、前記入金計数部の計数結果に基づいて前記第２在高データのみを更新し、前記第１在高データと前記第２在高データとが等しくなった後は、前記入金計数部の計数結果に基づいて前記第１在高データと前記第２在高データを更新することが好ましい。
【００１４】
本発明の取引処理装置において、
前記制御部は、出金処理中において、前記第１出金計数部の計数結果に基づいて前記第２在高データを更新し、前記第２出金計数部の計数結果に基づいて前記第１在高データを更新することが好ましい。
【００１５】
本発明の取引処理装置において、前記第１および第２在高データを出力する出力部をさらに備えることが好ましい。
【００１６】
本発明の取引処理装置において、
前記出力部は、前記第１および第２在高データをネットワーク経由で送信する通信部を含むことが好ましい。
【００１７】
本発明の取引処理装置において、
前記出力部は、前記第１および第２在高データを表示する第１表示部を含むことが好ましい。
【００１８】
本発明の取引システムは、
取引処理装置およびＰＯＳレジスタを含む取引システムであって、
前記取引処理装置は、
入金処理において貨幣を受け入れる受入部と、
出金処理において貨幣を機外から取り出せるように放出する放出部と、
前記入金処理または前記出金処理に関わる貨幣の枚数を金種別に計数する計数部と、
前記計数部によって計数された貨幣を金種別に収納する収納部と、
前記収納部を含む機内に存在する貨幣の在高を示す第１在高データおよび前記収納部に存在する貨幣の在高を示す第２在高データを記憶する記憶部と、
前記入金処理または前記出金処理中にエラーが発生したときに前記収納部以外に存在する残留貨幣を取り除いて当該残留貨幣を機内に戻す貨幣戻し処理を指定する貨幣戻し処理指定部と、
前記入金処理または前記出金処理においては、前記計数部の計数結果に基づいて前記第１および第２在高データを更新し、前記貨幣戻し処理指定部によって貨幣戻し処理が指定された場合には、前記第１在高データと前記第２在高データとが等しくなるまでは、前記計数部の計数結果に基づいて前記第１在高データおよび前記第２在高データの何れか一方のみを更新し、前記第１在高データと前記第２在高データとが等しくなった後は、前記計数部の計数結果に基づいて前記第１および第２在高データを更新する制御部と、
前記第１および第２在高データをネットワーク経由で前記ＰＯＳレジスタに送信する第１通信部と、を備え、
前記ＰＯＳレジスタは、
前記取引処理装置の第１通信部から送信された第１および第２在高データをネットワーク経由で受信する第２通信部を備えている。
【００１９】
本発明の取引処理システムにおいて、
前記ＰＯＳレジスタは、前記第２通信部によって受信された第１および第２在高データを表示する第２表示部をさらに備えることが好ましい。
【００２０】
本発明の取引処理システムにおいて、
前記ＰＯＳレジスタは、前記第２通信部によって受信された第１および第２在高データを印字する印字部をさらに備えることが好ましい。
【００２１】
本発明の取引処理方法は、
貨幣を金種別に収納部へ収納する収納する入金処理および貨幣を機外から取り出せるように放出部から放出する出金処理を行う取引処理装置を使用して行われる取引処理方法であって、
入金処理または出金処理に関わる貨幣の枚数を金種別に計数する計数工程と、
前記計数工程において計数された貨幣を前記収納部に金種別に収納する収納工程と、
前記入金処理または前記出金処理中にエラーが発生したときに前記取引処理装置の前記収納部以外に存在する残留貨幣を取り除いて当該残留貨幣を機内に戻す貨幣戻し処理を指定する貨幣戻し処理指定工程と、
前記入金処理または前記出金処理においては、前記計数工程の計数結果に基づいて前記収納部を含む前記取引処理装置の機内に存在する貨幣の在高を示す第１在高データおよび前記収納部に存在する貨幣の在高を示す第２在高データを更新し、前記貨幣戻し処理指定工程において貨幣戻し処理が指定された場合には、前記第１在高データと前記第２在高データとが等しくなるまでは、前記計数工程の計数結果に基づいて前記第１在高データおよび前記第２在高データの何れか一方のみを更新し、前記第１在高データと前記第２在高データとが等しくなった後は、前記計数工程の計数結果に基づいて前記第１および第２在高データを更新する制御工程と、を含んでいる。
【００２２】
本発明の取引処理方法において、
前記計数工程は、前記入金処理において、前記取引処理装置の機内に受け入れられた貨幣の枚数を金種別に計数する第１入金計数工程と、前記収納工程において収納された貨幣の枚数を金種別に計数する第２入金計数工程と、を含み、
前記制御工程は、前記貨幣戻し処理指定工程において貨幣戻し処理が指定された場合には、前記第１在高データと前記第２在高データとが等しくなるまでは、前記第２入金計数工程の計数結果に基づいて前記第２在高データのみを更新し、前記第１在高データと前記第２在高データとが等しくなった後は、前記第１入金計数工程の計数結果に基づいて前記第１在高データを更新し、前記第２入金計数工程の計数結果に基づいて前記第２在高データを更新する請求項１２に記載の取引処理方法。
【００２３】
本発明の取引処理方法において、
前記計数工程は、前記受入工程において受け入れられた貨幣の枚数を金種別に計数する入金計数工程と、前記収納部から出金された貨幣の枚数を金種別に計数する第１出金計数工程と、前記放出部から放出された貨幣の枚数を金種別に計数する第２出金計数工程と、をさらに含み、
前記制御部は、前記貨幣戻し処理指定工程において貨幣戻し処理が指定された場合には、前記第１在高データと前記第２在高データとが等しくなるまでは、前記入金計数工程の計数結果に基づいて前記第２在高データのみを更新し、前記第１在高データと前記第２在高データとが等しくなった後は、前記入金計数工程の計数結果に基づいて前記第１在高データと前記第２在高データを更新することが好ましい。
【発明の効果】
【００２４】
本発明によれば、入金処理、出金処理、または補充処理中にエラーが発生したときの貨幣の取扱を容易化することができ、ひいては、違算の発生要因を解消することができる。
【発明を実施するための最良の形態】
【００２５】
以下、本発明の実施例について図面を参照して説明する。なお、以下の実施例は、本発明の実施の一形態であって、本発明の範囲を限定するものではない。
【００２６】
はじめに、本発明の実施例に係る取引システムについて図１乃至図４を参照して説明する。図１は、本発明の実施例に係る取引システムの構成を示す概略図であり、図２は、本発明の実施例に係る硬貨用釣銭機１０の内部構成を示す概略図であり、図３は、本発明の実施例に係る硬貨用釣銭機１０およびＰＯＳレジスタ３０の機能ブロックを示すブロック図であり、図４は、本発明の実施例に係る紙幣用釣銭機２０の内部構成を示す概略図である。
【００２７】
図１に示すように、取引システムは、売上額が入力されるとともに、紙幣または硬貨からなる預かり金が入金され、且つ、釣銭としての紙幣または硬貨が出金される硬貨用釣銭機１０および紙幣用釣銭機２０から構成される取引処理装置と、この取引処理装置にネットワーク４０を介して接続されて通信可能となっているＰＯＳレジスタ３０と、このＰＯＳレジスタ３０に接続されているカスタマーディスプレイ５０と、を備えている。
【００２８】
図２に示すように、硬貨用釣銭機１０は、預かり金としての硬貨を機内に受け入れる硬貨受入部１１と、硬貨の枚数を金種別に計数する硬貨計数部１２（第１および第２硬貨入金計数部１２Ａ，１２Ｂ、並びに第１および第２硬貨出金計数部１２Ｃおよび１２Ｄ）と、第１硬貨入金計数部１２Ａによって計数された硬貨（以下、「入金正常硬貨」という）を金種別に収納する硬貨収納部１３と、第１硬貨入金計数部１２Ａによって計数されなかった硬貨（以下、「入金リジェクト硬貨」という）または第２硬貨出金計数部１２Ｄによって計数された硬貨（以下、「出金正常硬貨」という）などの出金硬貨を機外から取り出せるように放出する硬貨放出部１５と、第１硬貨入金計数部１２Ａを通過した硬貨を硬貨収納部１３または硬貨放出部１５に分岐する硬貨分岐部１４と、硬貨を搬送する硬貨搬送路１６と、を備えている。硬貨受入部１１、硬貨計数部１２、硬貨収納部１３、硬貨分岐部１４、および硬貨放出部１５は、それぞれ硬貨搬送路１６に沿って設けられている。
【００２９】
また、図２に示すように、硬貨受入部１１は、オペレータが入金する硬貨を投入できるように構成されている。また、硬貨受入部１１は、オペレータによって投入された硬貨を硬貨用釣銭機１０の機内に繰り入れる繰入機構を備えている。硬貨受入部１１によって受け入れられた硬貨は、硬貨搬送路１６を通って第１硬貨入金計数部１２Ａへ搬送される。
【００３０】
また、図２に示すように、硬貨計数部１２は、硬貨受入部１１の下流側に設けられた第１硬貨入金計数部１２Ａと、硬貨分岐部１４と硬貨収納部１３との間に設けられた第２硬貨入金計数部１２Ｂと、硬貨収納部１３と硬貨放出部１５との間に設けられた第１硬貨出金計数部１２Ｃと、第１硬貨出金計数部１２Ｃと硬貨放出部１５との間に設けられた第２硬貨出金計数部１２Ｄと、を備えている。第１硬貨入金計数部１２Ａは、硬貨受入部１１によって受け入れられた硬貨の金種を識別するセンサ（図示せず）と、その枚数を計数するカウンタ（図示せず）と、を備えている。第２硬貨入金計数部１２Ｂは、硬貨収納部１３の各収納庫１３Ａ乃至１３Ｆに対応して設けられ、各収納庫１３Ａ乃至１３Ｆに収納される硬貨の枚数を金種別に計数する複数のカウンタ（図示せず）を備えている。第１硬貨出金計数部１２Ｃは、硬貨収納部１３の各収納庫１３Ａ乃至１３Ｆに対応して設けられ、各収納庫１３Ａ乃至１３Ｆから繰り出される硬貨の枚数を金種別に計数する複数のカウンタ（図示せず）を備えている。第２硬貨出金計数部１２Ｄは、硬貨放出部１５から出金される硬貨の金種を識別するセンサ（図示せず）と、その枚数を計数するカウンタ（図示せず）と、を備えている。第１および第２硬貨入金計数部１２Ａ，１２Ｂ、ならびに第１および第２硬貨出金計数部１２Ｃ，１２Ｄは、金種別の計数結果を後述する硬貨制御部１０２に送るようになっている。なお、本発明の実施例では、第２硬貨入金計数部１２Ｂおよび第１硬貨出金計数部１２Ｃは、それぞれ、硬貨収納部１３の上流側および下流側に１個ずつ設けられても良い。その場合には、第２硬貨入金計数部１２Ｂおよび第１硬貨出金計数部１２Ｃは、それぞれ、第１硬貨入金計数部１２Ａおよび第２硬貨出金計数部１２Ｄと同様の構成を備える。
【００３１】
また、図２に示すように、硬貨分岐部１４は、第１硬貨入金計数部１２Ａの下流側に設けられている。また、硬貨分岐部１４は、通過する硬貨を所定の行き先に分岐する分岐爪（図示せず）を備えている。また、硬貨分岐部１４は、第１硬貨入金計数部１２Ａの識別結果に基づいて硬貨収納部１３方向または硬貨放出部１５方向へ硬貨を分岐するようになっている。硬貨分岐部１４を通過した硬貨のうち、入金正常硬貨は、硬貨分岐部１４を経由して硬貨収納部１３方向へ搬送され、入金リジェクト硬貨は、硬貨分岐部１４を経由して硬貨放出部１５方向へ搬送される。
【００３２】
また、図２に示すように、硬貨収納部１３は、第２硬貨入金計数部１２Ｂの下流側に設けられている。また、硬貨収納部１３は、金種別に硬貨を収納する収納庫１３Ａ乃至１３Ｆを含んでいる。収納庫１３Ａ乃至１３Ｆは、硬貨搬送路１６に沿って並んで配置されている。収納庫１３Ａは、硬貨搬送路１６の中で第１硬貨入金計数部１２Ａに最も近い位置（上流側）に配置されており、収納庫１３Ｆは、硬貨搬送路１６の中で第１硬貨入金計数部１２Ａに最も遠い位置（下流側）に配置されている。最も上流側に設けられた収納庫１３Ａには、最も高額な硬貨（たとえば、５００円硬貨）が収納され、最も下流側に設けられた収納庫１３Ｆには、最も低額な硬貨（たとえば、１円硬貨）が収納される。また、各収納庫１３Ａ乃至１３Ｆは、出金すべき硬貨を硬貨搬送路１６へ繰り出す繰出機構（図示せず）を備えている。
【００３３】
また、図２に示すように、硬貨放出部１５は、第２硬貨出金計数部１２Ｄの下流側に設けられている。また、硬貨放出部１５は、硬貨収納部１３から出金された硬貨を硬貨用釣銭機１０の機外から取り出せるように放出するようになっている。また、硬貨放出部１５は、オペレータが放出された硬貨を外部から取り出せるように構成されている。
【００３４】
図３に示すように、硬貨用釣銭機１０は、硬貨受入部１１、硬貨計数部１２、硬貨収納部１３、硬貨分岐部１４、硬貨放出部１５、および硬貨搬送路１６に加えて、所定のデータを記憶する記憶部１０１と、硬貨用釣銭機１０を制御する硬貨制御部１０２と、オペレータの指示を受け付ける操作部１０３と、所定のデータを出力する出力部１０４と、を備えている。
【００３５】
また、図３に示すように、記憶部１０１は、硬貨制御部１０２によって実行される制御プログラム１０１Ａと、機内に存在する硬貨の在高を示す第１在高データ１０１Ｂと、硬貨収納部１３の各収納庫１３Ａ乃至１３Ｆに存在する硬貨の在高を示す第２在高データ１０１Ｃと、確定された入金額を示す入金確定データ１０１Ｄと、を記憶するようになっている。
【００３６】
また、図３に示すように、硬貨制御部１０２は、記憶部１０１に記憶された制御プログラム１０１Ａを起動して、硬貨受入部１１、硬貨計数部１２、硬貨収納部１３、硬貨分岐部１４、硬貨放出部１５、硬貨搬送路１６、および硬貨放出部１５、ならびに記憶部１０１、操作部１０３、および出力部１０４を制御するようになっている。また、硬貨制御部１０２は、後述する第１通信部１０４Ａを介して後述するＰＯＳレジスタ３０のＰＯＳ制御部３１や紙幣用釣銭機２０の紙幣制御部（図示せず）と通信を行うようになっている。
【００３７】
また、図３に示すように、操作部１０３は、入金処理または出金処理中にエラーが発生したときに硬貨収納部１３以外に存在する残留硬貨を取り除いて当該残留貨幣を機内に戻す貨幣戻しモード、および釣銭用の硬貨を補充する補充モードを受け付けるためのモードキーと、入金された硬貨の入金額の確定を承認するための承認キーと、を備えている。また、操作部１０３は、貨幣戻しモードの指示を受け付けるときには、貨幣戻し処理指定部として動作する。なお、硬貨収納部１３から出金されて硬貨放出部１５まで搬送される途中で異常が検知された硬貨（以下、「出金リジェクト硬貨」という）を収納する硬貨出金リジェクト部（図示せず）が設けられている場合には、操作部１０３によって貨幣戻しモードの指示が受け付けられた場合であっても、硬貨出金リジェクト部に収納された硬貨は、再び機内に戻されないものとする。
【００３８】
また、図３に示すように、出力部１０４は、ネットワーク４０経由でＰＯＳレジスタ３０に所定の情報を出力する第１通信部１０４Ａと、所定の情報を表示する第１表示部１０４Ｂと、を含んでいる。
【００３９】
また、図３に示すように、ＰＯＳレジスタ３０は、ＰＯＳレジスタ３０を制御するＰＯＳ制御部３１と、硬貨用釣銭機１０との間の通信インタフェースである第２通信部３２と、所定の情報を表示する第２表示部３３と、所定の情報を印字する印字部３４と、オペレータの指示を受け付けるＰＯＳ操作部３５と、を備えている。
【００４０】
また、図３に示すように、ＰＯＳ制御部３１は、オペレータによってＰＯＳ操作部３５から売上額などが入力され、且つ、硬貨用釣銭機１０に預かり金が入金される度に、売上額と預かり金との差額を算出し、その差額を過不足金額として第２表示部３３に表示するようになっている。また、ＰＯＳ制御部３１は、硬貨用釣銭機１０から出力されたデータが第２通信部３２に入力されると、そのデータを第２表示部３３に表示するようになっている。また、ＰＯＳ制御部３１は、第２表示部３３に表示されるデータと同じデータをカスタマーディスプレイ５０にも表示するようになっている。また、ＰＯＳ制御部３１は、第２通信部３２を介して硬貨用釣銭機１０の硬貨制御部１０２と通信を行うようになっている。なお、ＰＯＳ制御部３１は、操作部１０３と同様の構成を備え、貨幣戻しモードの指示を受け付ける貨幣戻し処理指定部として動作しても良い。
【００４１】
図４に示すように、紙幣用釣銭機２０は、紙幣が挿入される紙幣入金口２１と、紙幣入金口２１によって受け入れられた紙幣を機内に繰り込む紙幣繰込ユニット２２と、紙幣繰込ユニット２２に連結され、紙幣繰込ユニット２２によって繰り込まれた紙幣を搬送する接続搬送路２３ｂと、接続搬送路２３ｂに連結され、接続搬送路２３ｂから搬送された紙幣を搬送する周回搬送路２３ａと、を有している。なお、この周回搬送路２３ａは、紙幣繰込ユニット２２によって繰り込まれた紙幣を搬送する場合には反時計回りに当該紙幣を搬送し、後述する紙幣収納部２６内から紙幣を繰り出す場合には時計回りに当該紙幣を搬送する。
【００４２】
また、図４に示すように、周回搬送路２３ａには、紙幣の金種などを識別し、その枚数を金種別に計数する紙幣計数部２４ａが設けられ、紙幣出金口２５、紙幣収納部２６、回収カセット２７、放出ユニット２８、および紙幣出金リジェクト部２９の下流側には、紙幣計数部２４ｂ乃至２４ｇが設けられている。これらの紙幣計数部２４ａ乃至２４ｇには、紙幣制御部（図示せず）が接続され、紙幣計数部２４ａ乃至２４ｇによって識別された紙幣の金種および金種別の枚数などが、当該紙幣制御部に送られる。また、周回搬送路２３ａには、接続搬送路２３ｂを介して紙幣収納部２６が連結されており、この紙幣収納部２６には、紙幣計数部２４ａによる識別結果に基づいて、所定の金種が収納される。
【００４３】
また、図４に示すように、周回搬送路２３ａには、例えば、紙幣収納部２６内の紙幣を全て、または、売上金相当額だけ回収したい場合などに、紙幣収納部２６から繰り出された紙幣を収納する回収カセット２７が、接続搬送路２３ｂを介して連結されている。なお、紙幣計数部２４ａで識別された金種の紙幣収納部２６が満杯である場合には、この紙幣は「オーバーフロー紙幣」として、回収カセット２７に収納される。
【００４４】
また、図４に示すように、周回搬送路２３ａには、出金時に紙幣収納部２６から繰り出された紙幣が放出される放出ユニット２８が、接続搬送路２３ｂを介して連結されている。また、この放出ユニット２８には、紙幣を機外へ放出する紙幣出金口２５が設けられている。なお、放出ユニット２８は、汚損などにより紙幣計数部２４ａによって金種を識別することができない紙幣（入金リジェクト紙幣）が放出されるようにもなっている。
【００４５】
また、図４に示すように、周回搬送路２３ａには、紙幣収納部２６から繰り出された紙幣が、斜行などにより紙幣計数部２４ａによって金種を識別できない場合に、当該紙幣（出金リジェクト紙幣）を収納する紙幣出金リジェクト部２９が連結されている。
【００４６】
なお、本発明の実施例では、硬貨用釣銭機１０が、紙幣用釣銭機２０と異なる構成を備えている例について説明したが、紙幣用釣銭機２０と同様の構成を備えていても良い。この場合には、硬貨用釣銭機１０の第１通信部１０４ＡおよびＰＯＳレジスタ３０の第２通信部３２が紙幣用釣銭機２０と接続されることによって、取引処理システムが構成される。
【００４７】
次に、本発明の実施例に係る取引システムの取引処理について図５乃至図１０を参照して説明する。図５は、本発明の実施例に係るモード設定処理の処理手順を示すフローチャートであり、図６は、本発明の実施例に係るモード設定画面を示す概略図であり、図７は、本発明の実施例に係る取引処理の処理手順を示すフローチャートであり、図８は、本発明の実施例に係る取引画面を示す概略図であり、図９は、本発明の実施例に係る入金処理の処理手順を示すフローチャートであり、図１０は、本発明の実施例に係る出金処理の処理手順を示すフローチャートである。なお、以下の説明では、硬貨用釣銭機１０が関わる処理の例について説明するが、紙幣用釣銭機２０が関わる処理も同様に行われても良い。
【００４８】
はじめに、本発明の実施例に係るモード設定処理について説明する。モード設定処理は、顧客が購入する商品の取引を行う取引モード、取引処理装置に釣銭を補充する補充モード、取引処理装置から貨幣を回収する回収モード、所定の時間の取引を集計する締め精算モード、または入金処理もしくは出金処理中にエラーが発生したときに硬貨収納部１３以外に存在する残留硬貨を取り除いて当該残留貨幣を機内に戻す貨幣戻しモードを設定するときに行われる。なお、前述のとおり、硬貨出金リジェクト部が設けられている場合には、操作部１０３によって貨幣戻しモードの指示が受け付けられた場合であっても、硬貨出金リジェクト部に収納された硬貨は再び機内に戻されないものとする。
【００４９】
はじめに、図５に示すように、操作工程（Ｓ５０１）が行われる。操作工程（Ｓ５０１）では、オペレータが、図６に示すようなモード設定画面を見ながら、操作部１０３のモードキーを操作することによって、取引モード、補充モード、回収モード、締め精算モード、または貨幣戻しモードの設定を行う。このとき、操作部１０３は、オペレータの操作に基づいて、取引モード、補充モード、回収モード、締め精算モード、または貨幣戻しモードの指示を受け付ける。
【００５０】
次に、図５に示すように、モード設定工程（Ｓ５０２）が行われる。モード設定工程（Ｓ５０２）では、操作部１０３が、操作工程（Ｓ５０１）において受け付けられた指示に基づいて、取引モード、補充モード、回収モード、締め精算モード、または貨幣戻しモードを設定する。このとき、硬貨制御部１０２は、操作部１０３によって設定されたモードに基づいて、後述する取引処理、補充処理（図示せず）、回収処理（図示せず）、締め精算処理（図示せず）、または後述する貨幣戻し処理を行う。なお、モード設定工程（Ｓ５０２）は、貨幣戻しモードの指示が受け付けられるときには、貨幣戻し処理指定工程となる。
【００５１】
図５に示すように、本発明の実施例に係るモード設定処理は、モード設定工程（Ｓ５０２）の後に終了する。
【００５２】
なお、操作工程（Ｓ５０１）において、オペレータが、ＰＯＳ操作部３５を操作し、ＰＯＳ操作部３５が、オペレータの操作に基づいて、取引モード、補充モード、回収モード、締め精算モード、または貨幣戻しモードの指示を受け付け、モード設定工程（Ｓ５０２）において、ＰＯＳ操作部３５によって受け付けられた指示がＰＯＳ制御部３１から硬貨制御部１０２へ送られることによってモード設定が行われても良い。
【００５３】
次に、本発明の実施例に係る取引処理について説明する。取引処理は、モード設定工程（図５のＳ５０２）において取引モードが設定されたときに行われる処理である。
【００５４】
はじめに、図７に示すように、商品登録工程（Ｓ７０１）が行われる。商品登録工程（Ｓ７０１）では、オペレータが、ＰＯＳ操作部３５を操作することによって、顧客が購入する商品をＰＯＳレジスタ３０に登録する。
【００５５】
次に、図７に示すように、売上額確定工程（Ｓ７０２）が行われる。売上額確定工程（Ｓ７０２）では、オペレータが、ＰＯＳ操作部３５を操作することによって、顧客が購入する商品の売上額を確定する。このとき、ＰＯＳ制御部３１は、図８に示すような取引画面を第２表示部３３およびカスタマーディスプレイ５０に表示する。図８は、確定された売上額が５４５０円であることを示している。
【００５６】
次に、図７に示すように、入金処理（Ｓ７０３）が行われる。入金処理（Ｓ７０３）では、はじめに、図９に示すように、受入工程（Ｓ９０１）が行われる。受入工程（Ｓ９０１）では、オペレータが、顧客から受け取った硬貨（預かり金）を硬貨受入部１１に投入する。このとき、硬貨受入部１１は、オペレータによって投入された硬貨を硬貨用釣銭機１０の機内に受け入れる。
【００５７】
次に、図９に示すように、第１入金計数工程（Ｓ９０２）が行われる。第１入金計数工程（Ｓ９０２）では、第１硬貨入金計数部１２Ａが、受入工程（Ｓ９０１）において受け入れられた硬貨の金種を識別し、金種別の枚数を計数し、識別結果および計数結果を硬貨制御部１０２に送る。このとき、硬貨制御部１０２は、第１硬貨入金計数部１２Ａによって計数された硬貨については、「入金正常硬貨」と判定し、第１硬貨入金計数部１２Ａによって計数されなかった硬貨については、「入金リジェクト硬貨」と判定する。
【００５８】
次に、図９に示すように、第１入金計数工程（Ｓ９０２）において「入金正常硬貨」と判定された場合には（Ｓ９０３−ＹＥＳ）、硬貨制御部１０２が、第１入金計数工程（Ｓ９０２）の計数結果に基づいて記憶部１０１に記憶された第１在高データ１０１Ｂを更新する（Ｓ９０４）。具体的には、硬貨制御部１０２は、記憶部１０１に記憶されている第１在高データ１０１Ｂに第１入金計数工程（Ｓ９０２）の計数結果を加算する。
【００５９】
次に、第２入金計数工程（Ｓ９０５）が行われる。第２入金計数工程（Ｓ９０５）では、第２硬貨入金計数部１２Ｂが、入金正常硬貨の枚数を金種別に計数し、計数結果を硬貨制御部１０２に送る。
【００６０】
次に、図９に示すように、収納工程（Ｓ９０６）が行われる。収納工程（Ｓ９０６）では、硬貨収納部１３が、第１入金計数工程（Ｓ９０２）において「入金正常硬貨」と判定された硬貨を収納庫１３Ａ乃至１３Ｆに金種別に収納する。
【００６１】
次に、図９に示すように、硬貨制御部１０２が、第２入金計数工程（Ｓ９０５）の計数結果に基づいて記憶部１０１に記憶された第２在高データ１０１Ｃを更新する（Ｓ９０７）。具体的には、硬貨制御部１０２は、記憶部１０１に記憶されている第２在高データ１０１Ｃに第２入金計数工程（Ｓ９０５）の計数結果を加算する。
【００６２】
一方、図９に示すように、第１入金計数工程（Ｓ９０２）において「入金リジェクト硬貨」と判定された場合には（Ｓ９０３−ＮＯ）、入金リジェクト工程（Ｓ９０８）が行われる。入金リジェクト工程（Ｓ９０８）では、硬貨放出部１５が、「入金リジェクト硬貨」と判定された硬貨を機外から取り出せるように放出する。
【００６３】
図９に示すように、Ｓ９０１乃至Ｓ９０８は、硬貨受入部１１に投入された硬貨がなくなるまで繰り返し行われる（Ｓ９０９−ＹＥＳ）。本発明の実施例に係る入金処理は、硬貨受入部１１に投入された硬貨がなくなった後に終了する（Ｓ９０９−ＮＯ）。
【００６４】
また、図７に示すように、入金処理（Ｓ７０３）は、入金確定が行われるまで繰り返し行われる（Ｓ７０４−ＮＯ）。入金確定は、入金額が売上額確定工程（Ｓ７０２）において確定された売上額以上となったときに、硬貨制御部１０２によって第１表示部１０４Ｂに入金確定（操作部１０３の承認キーの押下）を促すメッセージが表示され、オペレータによって操作部１０３の承認キーが押下されたときに行われる。このとき、硬貨制御部１０２は、第１硬貨入金計数部１２Ａの計数結果に基づいて入金確定データ１０１Ｄを記憶部１０１に書き込む。なお、入金確定は、ＰＯＳ制御部３１によって第２表示部３３に入金確定（ＰＯＳ操作部３５の承認キーの押下）を促すメッセージが表示され、オペレータによってＰＯＳ操作部３５の承認キーが押下されたときに行われても良い。
【００６５】
一方、図７に示すように、入金額が売上額確定工程（Ｓ７０２）において確定された売上額以上となったときに承認キーが押下されたことによって入金確定が行われた場合であって（Ｓ７０４−ＹＥＳ）、且つ、入金額と売上額が等しくない（すなわち、入金額が売上額より多い）場合には（Ｓ７０５−ＮＯ）、出金処理（Ｓ７０６）が行われる。出金処理（Ｓ７０６）では、はじめに、図１０に示すように、繰出工程（Ｓ１００１）が行われる。繰出工程（Ｓ１００１）では、硬貨収納部１３が、入金額と売上額との差額に相当する硬貨を各収納庫１３Ａ乃至１３Ｆから繰り出す。
【００６６】
次に、図１０に示すように、第１出金計数工程（Ｓ１００２）が行われる。第１出金計数工程（Ｓ１００２）では、第１硬貨出金計数部１２Ｃが、繰出工程（Ｓ１００１）において各収納庫１３Ａ乃至１３Ｆから繰り出された硬貨を金種別に計数し、計数結果を硬貨制御部１０２に送る。
【００６７】
次に、図１０に示すように、硬貨制御部１０２が、第１出金計数工程（Ｓ１００２）の計数結果に基づいて記憶部１０１に記憶された第２在高データ１０１Ｃを更新する（Ｓ１００３）。具体的には、硬貨制御部１０２は、記憶部１０１に記憶された第２在高データ１０１Ｃから第１出金計数工程（Ｓ１００２）の計数結果を減算する。
【００６８】
次に、図１０に示すように、第２出金計数工程（Ｓ１００４）が行われる。第２出金計数工程（Ｓ１００４）では、第２硬貨出金計数部１２Ｄが、第１硬貨出金計数部１２Ｃを通過した硬貨の枚数を金種別に計数し、計数結果を硬貨制御部１０２に送る。このとき、硬貨制御部１０２は、第２硬貨出金計数部１２Ｄによって計数された硬貨については、「出金正常硬貨」と判定し、第２硬貨出金計数部１２Ｄによって計数されなかった硬貨については、「出金リジェクト硬貨」と判定する。
【００６９】
次に、図１０に示すように、第２出金計数工程（Ｓ１００４）において「出金正常硬貨」と判定された場合には（Ｓ１００５−ＹＥＳ）、出金工程（Ｓ１００６）が行われる。出金工程（Ｓ１００６）では、硬貨放出部１５が、第２硬貨出金計数部１２Ｄを通過した硬貨を硬貨用釣銭機１０の機外から取り出せるように放出する。
【００７０】
次に、図１０に示すように、硬貨制御部１０２が、第２出金計数工程（Ｓ１００４）の計数結果に基づいて記憶部１０１に記憶された第１在高データ１０１Ｂを更新する（Ｓ１００７）。具体的には、硬貨制御部１０２は、記憶部１０１に記憶された第１在高データ１０１Ｂから第２出金計数工程（Ｓ１００４）の計数結果を減算する。
【００７１】
一方、図１０に示すように、第２出金計数工程（Ｓ１００４）において「出金リジェクト硬貨」と判定された場合には（Ｓ１００５−ＮＯ）、出金リジェクト工程（Ｓ１００８）が行われる。出金リジェクト工程（Ｓ１００８）では、硬貨制御部１０２が、繰出工程（Ｓ１００１）において各収納庫１３Ａ乃至１３Ｆから繰り出された硬貨に異常があったことを第１表示部１０４Ｂに表示する。なお、出金リジェクト工程（Ｓ１００８）では、硬貨出金リジェクト部が設けられている場合には、「出金リジェクト硬貨」と判定された硬貨は硬貨出金リジェクト部に収納される。
【００７２】
図１０に示すように、Ｓ１００１乃至Ｓ１００８は、出金確定が行われるまで繰り返し行われる（Ｓ１００９−ＮＯ）。出金確定は、入金額と売上額との差額に相当する硬貨（所定の金種および枚数）が硬貨放出部１５によって機外から取り出せるように放出されたときに行われる。本発明の実施例に係る出金処理は、出金確定が行われた後に終了する（Ｓ１００９−ＮＯ）。
【００７３】
また、図７に示すように、出金処理（Ｓ７０６）の後に、出力工程（Ｓ７０７）が行われる。出力工程（Ｓ７０７）では、出力部１０４が、記憶部１０１に記憶された第１および第２在高データ１０１Ｂ，１０１Ｃ、ならびに入金確定データ１０１Ｄを出力する。たとえば、第１通信部１０４Ａは、ネットワーク４０を介して第２通信部３２へこれらのデータを出力する。このとき、ＰＯＳ制御部３１は、第１通信部１０４Ａから出力されたデータに基づいて、所定の画面を第２表示部３３およびカスタマーディスプレイ５０に表示する。また、ＰＯＳ制御部３１は、第１通信部１０４Ａから出力されたデータに基づいて、所定の情報をレシートに印字するように印字部３４を制御する。
【００７４】
図７に示すように、本発明の実施例に係る取引処理は、出力工程（Ｓ７０７）の後に終了する。
【００７５】
次に、本発明の実施例に係る貨幣戻し処理について図１１を参照して説明する。図１１は、本発明の実施例に係る入金処理（図７のＳ７０３）中または出金処理（図７のＳ７０６）中にエラーが発生したときに行われる貨幣戻し処理の処理手順を示すフローチャートである。なお、以下の説明では、硬貨用釣銭機１０が関わる処理の例について説明するが、紙幣用釣銭機２０が関わる処理も同様に行われても良い。また、貨幣戻し処理は、入金処理（図７のＳ７０３）または出金処理（図７のＳ７０６）中にエラーが発生したときに硬貨制御部１０２が硬貨釣銭機１０を一時停止させ、オペレータが残留硬貨を取り除いて、エラーを解除した後に行われる。
【００７６】
はじめに、入金処理（図７のＳ７０３）中にエラーが発生したときの貨幣戻し処理について説明する。なお、入金処理（図７のＳ７０３）中にエラーが発生したときには、第１硬貨入金計数部１２Ａと第２硬貨入金計数部１２Ｂとの間に残留硬貨が存在するので、第１在高データ１０１Ｂが示す在高より第２在高データ１０１Ｃが示す在高の方が小さい。
【００７７】
はじめに、図１１に示すように、受入工程（Ｓ１１０１）が行われる。受入工程（Ｓ１１０１）では、オペレータが、貨幣戻し処理の対象となる硬貨（残留貨幣）を硬貨受入部１１に投入する。このとき、硬貨受入部１１は、オペレータによって投入された硬貨を硬貨用釣銭機１０の機内に受け入れる。
【００７８】
次に、図１１に示すように、第１入金計数工程（Ｓ１１０２）が行われる。第１入金計数工程（Ｓ１１０２）では、第１硬貨入金計数部１２Ａが、受入工程（Ｓ１１０１）において受け入れられた硬貨の金種を識別し、金種別の枚数を計数し、識別結果および計数結果を硬貨制御部１０２に送る。このとき、硬貨制御部１０２は、第１硬貨入金計数部１２Ａによって計数された硬貨については、「入金正常硬貨」と判定し、第１硬貨入金計数部１２Ａによって計数されなかった硬貨については、「入金リジェクト硬貨」と判定する。
【００７９】
次に、図１１に示すように、第１入金計数工程（Ｓ１１０２）において「入金正常硬貨」と判定された場合には（Ｓ１１０３−ＹＥＳ）、第２入金計数工程（Ｓ１１０４）が行われる。第２入金計数工程（Ｓ１１０４）では、第２硬貨入金計数部１２Ｂが、受入工程（Ｓ１１０１）において受け入れられた硬貨の金種を識別し、金種別の枚数を計数し、識別結果および計数結果を硬貨制御部１０２に送る。
【００８０】
次に、図１１に示すように、収納工程（Ｓ１１０５）が行われる。収納工程（Ｓ１１０５）では、硬貨収納部１３が、第２硬貨入金計数部１２Ｂを通過した硬貨を収納庫１３Ａ乃至１３Ｆに金種別に収納する。
【００８１】
一方、図１１に示すように、第１入金計数工程（Ｓ１１０２）において「入金リジェクト硬貨」と判定された場合には（Ｓ１１０３−ＮＯ）、入金リジェクト工程（Ｓ１１０６）が行われる。入金リジェクト工程（Ｓ１１０６）では、硬貨放出部１５が、「入金リジェクト硬貨」と判定された硬貨を機外から取り出せるように放出する。
【００８２】
図１１に示すように、収納工程（Ｓ１１０５）または入金リジェクト工程（Ｓ１１０６）の後に、第１在高データ１０１Ｂと第２在高データ１０１Ｃとが異なる在高を示す場合には（Ｓ１１０８−ＮＯ）、硬貨制御部１０２が、第２入金計数工程（Ｓ１１０４）の計数結果に基づいて記憶部１０１に記憶された第２在高データ１０１Ｃのみを更新する（Ｓ１１０８）。具体的には、硬貨制御部１０２は、記憶部１０１に記憶されている第２在高データ１０１Ｃのみに第２入金計数工程（Ｓ１１０４）の計数結果を加算する。Ｓ１１０１乃至Ｓ１１０８は、第１在高データ１０１Ｂと第２在高データ１０１Ｃとが等しい在高を示すようになるまでか、または、硬貨受入部１１に投入された硬貨がなくなるまで繰り返し行われる（Ｓ１１０７−ＮＯ、且つ、Ｓ１１０９−ＹＥＳ）。
【００８３】
一方、図１１に示すように、第１在高データ１０１Ｂと第２在高データ１０１Ｃとが等しい在高を示すようになった後は（Ｓ１１０７−ＹＥＳ）、硬貨制御部１０２が、第１および第２入金計数工程（Ｓ１１０２，Ｓ１１０４）の計数結果に基づいて記憶部１０１に記憶された第１および第２在高データ１０１Ｂ，１０１Ｃを更新する（Ｓ１１１０）。具体的には、硬貨制御部１０２は、記憶部１０１に記憶されている第１在高データ１０１Ｂに第１入金計数工程（Ｓ１１０２）の計数結果を加算し、第２在高データ１０１Ｃに第２入金計数工程（Ｓ１１０４）の計数結果を加算する。
【００８４】
次に、図１１に示すように、出力工程（Ｓ１１１１）が行われる。なお、硬貨受入部１１に投入された硬貨がなくなった場合にも（Ｓ１１０９−ＮＯ）、出力工程（Ｓ１１１１）が行われる。出力工程（Ｓ１１１１）では、出力部１０４が、貨幣戻し処理の結果を出力する。たとえば、第１通信部１０４Ａは、ネットワーク４０を介して第２通信部３２へ貨幣戻し処理の結果を出力する。このとき、ＰＯＳ制御部３１は、第１通信部１０４Ａから出力された貨幣戻し処理の結果を示す画面を第２表示部３３およびカスタマーディスプレイ５０に表示する。また、ＰＯＳ制御部３１は、第１通信部１０４Ａから出力された貨幣戻し処理の結果を示す情報をレシートに印字するように印字部３４を制御する。また、硬貨制御部１０２は、第２表示部３３およびカスタマーディスプレイ５０に表示される画面と同様の画面を第１表示部１０４Ｂに表示する。
【００８５】
図１１に示すように、入金処理（図７のＳ７０３）中にエラーが発生したときの貨幣戻し処理は、出力工程（Ｓ１１１１）の後に終了する。
【００８６】
なお、本発明の実施例では、貨幣戻し処理は、モード設定工程（図５のＳ５０２）において補充モードが設定されたときに行われる補充処理中にエラーが発生したときに硬貨収納部１３以外に存在する残留硬貨を取り除いてエラー発生前の状態に戻す場合にも、図１１と同様に行われる。
【００８７】
また、本発明の実施例では、印字部３４が、エラーが発生したときにそれまでの取引内容および貨幣戻しモードを設定するためのバーコードをレシートに印字しても良い。この場合には、操作部１０３は、所定のバーコードが印字されたレシートを読み取るバーコードリーダを備え、このバーコードリーダがレシートに印字されたバーコードを読み取ったときに貨幣戻しモードを設定する。
【００８８】
また、本発明の実施例に係る取引システムの構成としては、オペレータと顧客とが対面するタイプのレジシステムであっても良いし、顧客自らが操作するセルタイプのレジシステムであっても良いことは言うまでもない。
【００８９】
本発明の実施例によれば、図１１に示すように、貨幣戻し処理において、硬貨収納部１３を含む機内に存在する硬貨の在高を示す第１在高データ１０１Ｂと硬貨収納部１３に存在する硬貨の在高を示す第２在高データ１０１Ｃとが異なる在高を示す場合には、第１在高データ１０１Ｂおよび第２在高データ１０１Ｃの何れか一方のみを更新し、両者が等しい在高を示すようになった後は、第１および第２在高データ１０１Ｂ，１０１Ｃを更新するので、入金処理、出金処理、または補充処理中にエラーが発生したときの硬貨の取扱を容易化することができ、ひいては、違算の発生を防ぐことができる。
【図面の簡単な説明】
【００９０】
【図１】本発明の実施例に係る取引システムの構成を示す概略図である。
【図２】本発明の実施例に係る硬貨用釣銭機１０の内部構成を示す概略図である。
【図３】本発明の実施例に係る硬貨用釣銭機１０およびＰＯＳレジスタ３０の機能ブロックを示すブロック図である。
【図４】本発明の実施例に係る紙幣用釣銭機２０の内部構成を示す概略図である。
【図５】本発明の実施例に係るモード設定処理の処理手順を示すフローチャートである。
【図６】本発明の実施例に係るモード設定画面を示す概略図である。
【図７】本発明の実施例に係る取引処理の処理手順を示すフローチャートである。
【図８】本発明の実施例に係る取引画面を示す概略図である。
【図９】本発明の実施例に係る入金処理の処理手順を示すフローチャートである。
【図１０】本発明の実施例に係る出金処理の処理手順を示すフローチャートである。
【図１１】本発明の実施例に係る入金処理（図７のＳ７０３）中にエラーが発生したときに行われる貨幣戻し処理の処理手順を示すフローチャートである。
【符号の説明】
【００９１】
１０  硬貨用釣銭機
１１  硬貨受入部
１２  硬貨計数部
１３  硬貨収納部
１４  硬貨分岐部
１５  硬貨放出部
１６  硬貨搬送路
１０１  記憶部
１０２  硬貨制御部
１０３  操作部
１０４  出力部
１０４Ａ  第１通信部
１０４Ｂ  第１表示部
２０  紙幣用釣銭機
２１  紙幣入金口
２２  紙幣繰込ユニット
２３ａ  周回搬送路
２３ｂ  接続搬送路
２４  紙幣識別部
２５  紙幣出金口
２６  紙幣収納部
２７  回収カセット
２８  放出ユニット
２９  紙幣出金リジェクト部
３０  ＰＯＳレジスタ
３１  ＰＯＳ制御部
３２  第２通信部
３３  第２表示部
３４  印字部
３５  ＰＯＳ操作部
４０  ネットワーク
５０  カスタマーディスプレイ
【図１】
2010072812.tif 000003
【図２】
2010072812.tif 000004
【図３】
2010072812.tif 000005
【図４】
2010072812.tif 000006
【図５】
2010072812.tif 000007
【図６】
2010072812.tif 000008
【図７】
2010072812.tif 000009
【図８】
2010072812.tif 000010
【図９】
2010072812.tif 000011
【図１０】
2010072812.tif 000012
【図１１】
2010072812.tif 000013